【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】
茶畝の畝巾方向に沿う所要長さを有した前後開放の摘採機枠に、刈取部を備え、該刈取部によって摘採した茶葉を、送風手段からの空気流により刈取部の進行方向後側に入口を臨ませた搬送ダクトに導入して所要位置まで移送して収容する茶葉の摘採装置において、
上記刈取部は、摘採機枠の底部前縁に固定して設けた受刃と、該受刃の前方上方位置から下降して後方に至る経路で受刃と接合して切断動作を行う回転刃とを設け、該回転刃の回転動作により茶畝上面に植立する茶葉を受刃との間で切断した後に後方へ移動して受刃の後方に送り出すように構成してなり、
上記回転刃の回転領域の上方位置に、送風手段と連通する送風ダクトを配置し、該送風ダクトには回転刃の回転領域の後方に向けて開口する送風ノズルを配設して、上記刈取部により受刃後方に送り出された摘採茶葉を、送風ノズルから噴出する空気流により風送して搬送ダクト内に送り込むように構成してなることを特徴とする茶葉摘採装置。
【請求項２】
茶畝の畝巾方向に沿う所要長さを有した前後開放の摘採機枠に、刈取部を備え、該刈取部によって摘採した茶葉を、送風手段からの空気流により刈取部の進行方向後側に入口を臨ませた搬送ダクトに導入して所要位置まで移送して収容する茶葉の摘採装置において、
上記刈取部は、摘採機枠の底部前縁にレシプロ刃からなる刈刃体を設けると共に、該刈刃体の前方上方位置から下降して後方に至る経路で刈刃体と接合するように回転軸支された回転ブラシ、回転ゴム板等の可撓性を有する回転体を設けて、茶畝上面に植立する茶葉の葉部を刈刃体により切断した後に該可撓性回転体の回転動作により茶葉を後方に移動して刈刃体の後方に送り出すように構成してなり、
上記可撓性回転体の回転領域の上方位置に、送風手段と連通する送風ダクトを配置し、該送風ダクトには可撓性回転体の回転領域の後方に向けて開口する送風ノズルを配設して、上記刈取部により刈刃後方に送り出された摘採茶葉を、送風ノズルから噴出する空気流により風送して搬送ダクト内に送り込むように構成してなることを特徴とする茶葉摘採装置。
【手続補正２】
【補正対象書類名】明細書
【補正対象項目名】０００５
【補正方法】変更
【補正の内容】
【０００５】
本発明は、上記の問題点に鑑み、摘採する茶葉の直立姿勢を乱すことなくほぼ一定の長さに刈り取ることができ、しかも、摘採した茶葉を、搬送ダクトを介して所定の収容部に確実に風送することができる茶葉の摘採装置を提供することを目的とする。
【手続補正３】
【補正対象書類名】明細書
【補正対象項目名】０００６
【補正方法】変更
【補正の内容】
【０００６】
【課題を解決するための手段】
上記の目的を達成するため、請求項１記載の発明は、以下のＡ，Ｂ，Ｃの構成事項からなることを特徴としている。
Ａ，茶畝の畝巾方向に沿う所要長さを有した前後開放の摘採機枠に、刈取部を備  え、該刈取部によって摘採した茶葉を、送風手段からの空気流により刈取部の  進行方向後側に入口を臨ませた搬送ダクトに導入して所要位置ま  で移送して収容する茶葉の摘採装置において、
Ｂ．上記刈取部は、摘採機枠の底部前縁に固定して設けた受刃と、該受刃の前方  上方位置から下降して後方に至る経路で受刃と接合して切断動作を行う回転刃  とを設け、該回転刃の回転動作により茶畝上面に植立する茶葉を受刃との間で  切断した後に後方へ移動して受刃の後方に送り出すように構成してなり、
Ｃ．上記回転刃の回転領域の上方位置に、送風手段と連通する送風ダクトを配置  し、該送風ダクトには回転刃の回転領域の後方に向けて開口する送風ノズルを 配設して、上記刈取部により受刃後方に送り出された摘採茶葉を、送風ノズル  から噴出する空気流により風送して搬送ダクト内に送り込むように構成してな  ることを特徴としている。
【手続補正４】
【補正対象書類名】明細書
【補正対象項目名】０００７
【補正方法】変更
【補正の内容】
【０００７】
上記請求項１記載の発明によると、まず、茶畝に植立する茶葉を、摘採機枠の底部前縁に固定して設けた受刃と回転刃とで切断し、切断と同時に回転刃の回転動作によって摘採した茶葉を、回転刃の回転領域の後方に向けて送り出すように動作した後、この位置（回転領域の後方）に向けて開口した送風ノズルよりの噴出空気流により風送して、搬送ダクト等の搬送手段内へ確実に送り込む。
【手続補正５】
【補正対象書類名】明細書
【補正対象項目名】０００８
【補正方法】変更
【補正の内容】
【０００８】
この結果、摘採した茶葉を、確実に所要の収容部まで移送することが可能となり、さらにまた、この摘採作業時に、刈り取られる対象の茶葉が、刈り取られる前に、送風ノズルによって茶葉の直立姿勢が乱されるという従来技術の問題点が解消され、摘採作業が適正に行われるようになる。
【手続補正６】
【補正対象書類名】明細書
【補正対象項目名】０００９
【補正方法】変更
【補正の内容】
【０００９】
また、請求項２記載の発明は、以下のＤ，Ｅ，Ｆの構成事項からなることを特徴としている。
Ｄ．茶畝の畝巾方向に沿う所要長さを有した前後開放の摘採機枠に、刈取部を備  え、該刈取部によって摘採した茶葉を、送風手段からの空気流により刈取部の  進行方向後側に入口を臨ませた搬送ダクトに導入して所要位置ま  で移送して収容する茶葉の摘採装置において、
Ｅ．上記刈取部は、摘採機枠の底部前縁にレシプロ刃からなる刈刃体を設けると  共に、該刈刃体の前方上方位置から下降して後方に至る経路で刈刃体と接合す  るように回転軸支された回転ブラシ、回転ゴム板等の可撓性を有する回転体を  設けて、茶畝上面に植立する茶葉の葉部を刈刃体により切断した後に該可撓性  回転体の回転動作により刈刃体の後方に送り出すようにように構成してなり、
Ｆ．上記可撓性回転体の回転領域の上方位置に、送風手段と連通する送風ダクト  を配置し、該送風ダクトには可撓性回転体の回転領域の後方に向けて開口する 送風ノズルを配設して、上記刈取部により刈刃後方に送り出された摘採茶葉を  、送風ノズルから噴出する空気流により風送して搬送ダクト内に送り込むよう  に構成してなることを特徴としている。
【手続補正７】
【補正対象書類名】明細書
【補正対象項目名】００１０
【補正方法】変更
【補正の内容】
【００１０】
上記請求項２記載の発明によると、まず、茶畝に植立する茶葉を、摘採機枠の底部前縁に設けたレシプロ刃からなる刈刃体で切断し、切断と同時に、刈刃体の前方上方位置から下降方向に回転する可撓性回転体の回転動作により摘採した茶葉を、可撓性回転体の回転領域の後方位置に送り出すように動作し、その後、可撓性回転体の回転領域の後方位置に向けて開口した送風ノズルよりの噴出空気流により風送して、搬送ダクト等の搬送手段内へ確実に送り込む。
【手続補正８】
【補正対象書類名】明細書
【補正対象項目名】００１１
【補正方法】変更
【補正の内容】
【００１１】
この結果、摘採した茶葉を、確実に所要の収容部まで移送することが可能となり、さらにまた、この摘採作業時に、刈り取られる対象の茶葉が、刈り取られる前に、送風ノズルによって茶葉の直立姿勢が乱されるという従来技術の問題点が解消され、摘採作業が適正に行われるようになる。
【手続補正９】
【補正対象書類名】明細書
【補正対象項目名】００１９
【補正方法】変更
【補正の内容】
【００１９】
次に上述のように構成された摘採装置３の作用を説明する。
まず摘採装置３を上下調節して、刈取部３２を構成する受刃３２ａが茶畝の上面に対して所定の摘採レベルを保つように摘採位置を調節した後に、回転刃３２ｂを回転駆動させた状態で、走行装置２を駆動して乗用車体を前進させる。
乗用車体の前進により、茶畝に植立する茶葉は、回転刃３２ｂが、受刃３２ａの前方上方位置から下降方向に回転動作することで茶葉の葉先部が受刃３２ａの上方に向けて誘導され、受刃３２ａとこれに接合する回転刃３２ｂとによって茶葉の茎部が切断された後、回転刃３２ｂの回転動作により摘採された茶葉は回転刃４２ｂの回転領域の後方へと誘導される。
上述のように誘導された茶葉は、回転刃４２ｂの回転領域の後方に向けて噴気する送風ノズル５１からの噴出空気流により、さらに後方へと風送されて、搬送ダクト４内へと送り込まれるように動作される。
この際、補助送風管６１を介して空気通路６２に吹き込まれた空気流が、受刃３２ａの後方へと噴出し、送風ノズル５１から噴出する空気流と合流することで摘採茶葉が確実に搬送ダクト４内において空気搬送されるようになる。
【手続補正１０】
【補正対象書類名】明細書
【補正対象項目名】００２３
【補正方法】変更
【補正の内容】
【００２３】
【発明の効果】
以上に説明したように、本発明の請求項１，請求項２記載の発明によると、茶畝に植立した茶葉を、摘採機枠の底部前縁に設けた受刃と回転刃とからなる刈取部あるいはレシプロ刃からなる刈刃体で切断し、切断と同時に、刈刃体の前方上方位置から下降方向に回転する回転刃あるいは可撓性回転体の回転動作により摘採した茶葉を、その回転領域の後方位置へと送り出すように動作し、その後、同上回転領域の後方位置に向けて開口した多数の送風ノズルよりの噴出空気流により、さらに後方へと移送して搬送ダクト等の搬送手段内に送り込むように動作する。この結果、摘採茶葉は、確実に所要の収容部まで移送することが可能となり、さらにまた、この摘採作業時に、刈り取られる対象の茶葉が、刈り取られる前に、送風ノズルによって茶葉の直立姿勢が乱されるという従来技術の問題点が解消され、摘採作業を適正に行うことができるようになる。
なお本発明の実施例において、本発明の摘採装置を乗用型摘採機に適用した例を説明したが、これに限らず、可搬式、レール式、自走式等のどのタイプへの適用も可能であることはいうまでもない。